(57)【特許請求の範囲】
【請求項１】
内部に収容された食材が水平方向に流れる熱風によって再加熱される再加熱用容器であって、
上面開口部を有する容器本体と、
この容器本体の前記上面開口部を開閉する蓋体とを具備し、
前記容器本体は、
上面開口状の外容器と、
この外容器内に脱着可能に嵌合配設され、食材が収容される上面開口状の内容器と、
前記外容器の内側面と前記内容器の外側面との間に位置し、空気層を形成する空間部とを備え、
前記外容器は、
熱風通し用孔部が形成された底板部と、
この底板部の外周端部に上方に向って突設された側板部と、
前記底板部に下方に向って突設され、熱風通し用開口部を有する脚部とを有し、
前記内容器は、
前記熱風通し用孔部と対向する底板部と、
この底板部の外周端部に上方に向って突設された側板部と、
この側板部の上端部に外側方に向って突設され、前記外容器の前記側板部の上端部上に載置される鍔部とを有し、
前記内容器が前記外容器の内側に脱着可能に嵌合された状態時には、前記内容器の前記鍔部と前記外容器の前記側板部の上端部とが互いに当接して前記空気層の空気が流出するのを防止するとともに、前記内容器の前記底板部の下面と前記外容器の前記底板部の上面との間には前記空気層に連通するわずかな隙間がある
ことを特徴とする再加熱用容器。
【請求項２】
内容器は、側板部の外側面に形成され、前記内容器同士を積み重ねる際に前記内容器同士が密着するのを防止する空気逃し用の窪み部を有する
ことを特徴とする請求項１記載の再加熱用容器。
【請求項３】
内容器は、側板部と鍔部との間に設けられ、厚さ寸法が空気層の厚さ寸法と略同じ環状形状に形成された環状凸部を有する
ことを特徴とする請求項１または２記載の再加熱用容器。
【請求項４】
外容器の側板部の内側面と内容器の側板部の外側面との間には、空気層を容器本体の全周にわたって均一に維持する空気層維持部が位置する
ことを特徴とする請求項１または２記載の再加熱用容器。
【請求項５】
蓋体は、
内容器の鍔部上に載置される蓋板部と、
この蓋板部に下方に向って突設され、前記内容器の側板部の上端部内側面と対向する環状凸部とを有する
ことを特徴とする請求項１ないし４のいずれか一記載の再加熱用容器。
【請求項６】
蓋体は、蓋板部の外周端部に下方に向って突設され、外容器の側板部の上端部外側面と対向する筒状部を有する
ことを特徴とする請求項５記載の再加熱用容器。
【請求項７】
外容器は、一方側係合部を有し、
内容器は、前記一方側係合部との係合により前記内容器の前記外容器に対する回動を規制する他方側係合部を有する
ことを特徴とする請求項１ないし６のいずれか一記載の再加熱用容器。
【請求項８】
外容器は、底板部の熱風通し用孔部に臨んだ内周端部に内側方に向って突設された凸状の複数の一方側係合部を有し、
内容器は、底板部に設けられ、前記一方側係合部との係合により前記内容器の前記外容器に対する回動を規制する凹状の複数の他方側係合部を有する
ことを特徴とする請求項１ないし６のいずれか一記載の再加熱用容器。
【発明の詳細な説明】
【技術分野】
【０００１】
本発明は、内部に収容された食材が水平方向に流れる熱風によって再加熱される再加熱用容器に関するものである。
【背景技術】
【０００２】
従来、例えば食材が収容される容器本体と、この容器本体の上面開口部を開閉する蓋体とを具備し、この蓋体に容器本体内の食材に接触する凹陥部が形成された再加熱用容器が知られている（例えば、特許文献１参照）。
【特許文献１】特開２００５−１４４０１３号公報（図１）
【発明の開示】
【発明が解決しようとする課題】
【０００３】
しかしながら、例えば上記従来の再加熱用容器の容器本体内にご飯等の食材を収容して水平方向に流れる熱風によって再加熱を行うと、熱風が容器本体の外側面に集中して当たるため、容器本体の内側面付近の食材は、他の内面付近の食材と比較して熱を受け過ぎることから、食材の中心部が温められるまでにカリカリになってしまうおそれがある。
【０００４】
本発明は、このような点に鑑みなされたもので、容器本体の内側面付近の食材が熱を受け過ぎることがなく、水平方向に流れる熱風によって食材を適切に再加熱できる再加熱用容器を提供することを目的とする。
【課題を解決するための手段】
【０００５】
請求項１記載の再加熱用容器は、内部に収容された食材が水平方向に流れる熱風によって再加熱される再加熱用容器であって、上面開口部を有する容器本体と、この容器本体の前記上面開口部を開閉する蓋体とを具備し、前記容器本体は、上面開口状の外容器と、この外容器内に脱着可能に嵌合配設され、食材が収容される上面開口状の内容器と、前記外容器の内側面と前記内容器の外側面との間に位置し、空気層を形成する空間部とを備え、前記外容器は、熱風通し用孔部が形成された底板部と、この底板部の外周端部に上方に向って突設された側板部と、前記底板部に下方に向って突設され、熱風通し用開口部を有する脚部とを有し、前記内容器は、前記熱風通し用孔部と対向する底板部と、この底板部の外周端部に上方に向って突設された側板部と、この側板部の上端部に外側方に向って突設され、前記外容器の前記側板部の上端部上に載置される鍔部とを有し、前記内容器が前記外容器の内側に脱着可能に嵌合された状態時には、前記内容器の前記鍔部と前記外容器の前記側板部の上端部とが互いに当接して前記空気層の空気が流出するのを防止するとともに、前記内容器の前記底板部の下面と前記外容器の前記底板部の上面との間には前記空気層に連通するわずかな隙間があるものである。
【０００６】
請求項２記載の再加熱用容器は、請求項１記載の再加熱用容器において、内容器は、側板部の外側面に形成され、前記内容器同士を積み重ねる際に前記内容器同士が密着するのを防止する空気逃し用の窪み部を有するものである。
【０００７】
請求項３記載の再加熱用容器は、請求項１または２記載の再加熱用容器において、内容器は、側板部と鍔部との間に設けられ、厚さ寸法が空気層の厚さ寸法と略同じ環状形状に形成された環状凸部を有するものである。
【０００８】
請求項４記載の再加熱用容器は、請求項１または２記載の再加熱用容器において、外容器の側板部の内側面と内容器の側板部の外側面との間には、空気層を容器本体の全周にわたって均一に維持する空気層維持部が位置するものである。
【０００９】
請求項５記載の再加熱用容器は、請求項１ないし４のいずれか一記載の再加熱用容器において、蓋体は、内容器の鍔部上に載置される蓋板部と、この蓋板部に下方に向って突設され、前記内容器の側板部の上端部内側面と対向する環状凸部とを有するものである。
【００１０】
請求項６記載の再加熱用容器は、請求項５記載の再加熱用容器において、蓋体は、蓋板部の外周端部に下方に向って突設され、外容器の側板部の上端部外側面と対向する筒状部を有するものである。
【００１１】
請求項７記載の再加熱用容器は、請求項１ないし６のいずれか一記載の再加熱用容器において、外容器は、一方側係合部を有し、内容器は、前記一方側係合部との係合により前記内容器の前記外容器に対する回動を規制する他方側係合部を有するものである。
【００１２】
請求項８記載の再加熱用容器は、請求項１ないし６のいずれか一記載の再加熱用容器において、外容器は、底板部の熱風通し用孔部に臨んだ内周端部に内側方に向って突設された凸状の複数の一方側係合部を有し、内容器は、底板部に設けられ、前記一方側係合部との係合により前記内容器の前記外容器に対する回動を規制する凹状の複数の他方側係合部を有するものである。
【発明の効果】
【００１３】
請求項１に係る発明によれば、容器本体が外容器の内側面と内容器の外側面との間に位置し空気層を形成する空間部を備えるため、容器本体の内容器の内側面付近の食材が他の内面付近の食材と比較して熱を受け過ぎることがなく、水平方向に流れる熱風によって食材を適切に再加熱できる。
【００１４】
請求項３に係る発明によれば、内容器が、側板部と鍔部との間に設けられ厚さ寸法が空気層の厚さ寸法と略同じ環状形状に形成された環状凸部を有するため、空気層が容器本体の全周にわたって均一になり、水平方向に流れる熱風によって食材をむらなく適切に再加熱できる。
【００１５】
請求項４に係る発明によれば、外容器の側板部の内側面と内容器の側板部の外側面との間には、空気層を容器本体の全周にわたって均一に維持する空気層維持部が位置するため、空気層が容器本体の全周にわたって均一になり、水平方向に流れる熱風によって食材をむらなく適切に再加熱できる。
【００１６】
請求項５に係る発明によれば、蓋体が、内容器の鍔部上に載置される蓋板部と、この蓋板部に下方に向って突設され内容器の側板部の上端部内側面と対向する環状凸部とを有するため、再加熱時に食材から発生する蒸気が蓋体と内容器の上端部との間から逃げにくく、水平方向に流れる熱風によって食材を効果的に再加熱できる。
【００１７】
請求項７に係る発明によれば、外容器の一方側係合部と内容器の他方側係合部とが係合して内容器の外容器に対する回動が規制されるため、再加熱した内容器内の食材を食する際に、内容器が外容器に対して回動してしまうことを防止できる。
【００１８】
請求項８に係る発明によれば、外容器の凸状の複数の一方側係合部と内容器の凹状の複数の他方側係合部とが係合して内容器の外容器に対する回動が規制されるため、再加熱した内容器内の食材を食する際に、内容器が外容器に対して回動してしまうことを防止できる。
【発明を実施するための最良の形態】
【００１９】
本発明の再加熱用容器の一実施の形態を図面を参照して説明する。
【００２０】
図１および図２において、１は再加熱用容器で、この再加熱用容器１は、低温保存、すなわち例えばチルド保存していた加熱調理済みの食材（例えば米飯）Ａを熱風を利用して再加熱する際に使用する容器であり、その再加熱時には再加熱するためのカート（図示せず）内に収容しその容器内に収容された食材Ａが水平方向に流れる熱風によって再加熱される。
【００２１】
再加熱用容器１は、円形状の上面開口部４を有する有底略円筒状をなす２重構造の容器本体２と、この容器本体２に対して脱着可能で上面開口部４を開閉する蓋体３とを具備している。
【００２２】
容器本体２は、上面開口状の外容器６と、外容器６内に脱着可能に嵌合配設され食材Ａが内部に収容される上面開口状の内容器７と、外容器６の内側面全体と内容器７の外側面全体との間に位置し空気層８を形成する空間部９とを備えている。
【００２３】
そして、容器本体２は、外容器６の内側面全体と内容器７の内側面全体との間に空気層８が形成されていることから、水平方向に流れる熱風が外容器６の側面部分に集中して当たり、他の部分と比較して強く熱を受けたとしても、内容器７の側面部分への伝熱を和らげるようになっている。
【００２４】
外容器６は、円形状の上面開口11を有する有底略円筒状のものである。外容器６は、中央部に円形状の熱風通し用孔部12が上下面に貫通して形成された円形環状の底板部13を有している。
【００２５】
底板部13の外周端部には、上方に向って拡径する截頭円錐状の側板部14が上方に向って突設されている。底板部13の熱風通し用孔部12に臨んだ内周端部には、熱風通し用開口部16を有する断続的な糸尻部である脚部17が下方に向って突設されている。
【００２６】
脚部17は、図２に示されるように、底板部13の内周端部の複数箇所から下方に向って突出し、底板部13の周方向に間隔（熱風通し用開口部16）をおいて並ぶ複数、例えば５つの脚板18を有している。各脚板18は底板部13の周方向に沿って湾曲板状に形成され、周方向に隣り合う脚板18間に熱風通し用開口部16が形成されている。
【００２７】
そして、底板部13の下面から下方に向って脚部17が突出していることから、外容器６の下方に熱風を通しやすく、また、隣り合う脚板18間に熱風通し用開口部16が形成されているとともに底板部13に熱風通し用孔部12が貫通形成されていることから、外容器６の下方から外容器６内の内容器７の底面に熱風を当てやすいようになっている。
【００２８】
内容器７は、上面開口部４を構成する円形状の上面開口21を有する有底略円筒状のものである。内容器７は、内容器７が外容器６内に嵌合され周囲を外容器６にて覆われた状態時に、外容器６の底板部13の熱風通し用孔部12と近接対向してこの熱風通し用孔部12を閉鎖する円形板状の底板部23を有している。
【００２９】
底板部23の外周端部には、外容器６の側板部14と相似形状をなす上方に向って拡径する截頭円錐状の側板部24が上方に向って突設されている。
【００３０】
側板部24の上端部には円形環状の鍔部25が外側方に向って突設され、この鍔部25は外容器６の側板部14の上端部の上面上に載置されて支持される。図１に示されるように、内容器７の鍔部25が外容器６の側板部14の上端部上に載置された状態時、つまり内容器７が外容器６の内側に脱着可能に嵌合された状態時には、内容器７の鍔部25と外容器６の側板部14の上端部との当接を確実にするために、内容器７の底板部23の下面と外容器６の底板部13の上面との間には、空気層８に連通するわずかな隙間26がある。
【００３１】
そして、内容器７の鍔部25と外容器６の側板部14の上端部とが当接して空気層８の空気が流出するのを防止していることから、空気層８の空気が水平方向に流れる熱風によって加熱されたカート内の空気と流通して高温になることがなく、それによって外容器６の側板部14が集中して当たる水平方向に流れる熱風により伝熱されて内容器７の側板部24が他の部分と比較して早く加熱されることを助長させないようになっている。
【００３２】
また、側板部24の上端部外側面と鍔部25の下面との間には、径方向の厚さ寸法が空気層８の厚さ寸法と略同じ環状形状に形成され側板部24の外側面と側板部14の内側面との間に位置し空気層８の厚さ寸法（間隙）を容器本体２の全周にわたって均一に維持する空気層維持部である円形環状の環状凸部27が設けられている。
【００３３】
そして、環状凸部27の外周面と外容器６の側板部14の上端部内側面との接触により、一定の厚さ寸法の空気層８が外容器６の側板部14の内側面と内容器７の側板部24の外側面との間に容器本体２の全周にわたって均一に形成されることから、水平方向に流れる熱風が外容器６の側板部14のどの方向から当てられたとしても内容器７の側板部24にはその全体にわたって同じように伝熱されるようになっている。
【００３４】
一方、蓋体３は、内容器７の上端部上に載置されて内容器７の上面開口21つまり容器本体２の上面開口部４を閉鎖するものである。蓋体３は、上面開口部４の閉鎖時に内容器７の鍔部25上に載置される円形板状の蓋板部31を有している。
【００３５】
蓋板部31の外径寸法は内容器７の鍔部25の外径寸法より大きく、この蓋板部31の外周端部には、外容器６の側板部14の上端部外側面と近接対向してこの側板部14の上端部外側面を覆う筒状部である円筒状部32が下方に向って突設されている。また、蓋板部31の外周端部の近傍位置には、内容器７の側板部24の上端部内側面と近接対向してこの側板部24の上端部内側面を覆う円形環状の環状凸部33が下方に向って突設されている。そして、図１に示されるように、蓋板部31の下面のうち円筒状部32と環状凸部33との間に位置する部分が、載置面34となって鍔部25の上面である被載置面35上に載置されて支持されている。
【００３６】
なお、再加熱用容器１を構成する３つの構成部材である外容器（容器カバー）６、内容器（収納容器）７および蓋体３は、例えば合成樹脂或いは金属等にてそれぞれ一体に形成されている。
【００３７】
次に、再加熱用容器１を使用して食材Ａを再加熱する場合について説明する。
【００３８】
図３にはトレイＴが示され、このトレイＴ上には、食材Ａすなわち例えば１食分の主食である米飯が収容された再加熱用容器１、１食分の魚料理・肉料理等の主菜が収容された容器41等が載せられている。これら米飯および主菜は、加熱調理後、チルド保存され、食事時に合わせて再加熱されるものである。
【００３９】
そして、例えば再加熱用容器１および容器41等が載せられたトレイＴは上下複数段の棚を有するカート内に収容され、再加熱時にはカート内の上下に隣り合うトレイＴ間に熱源から熱風が水平方向に流れるように循環供給され、再加熱用容器１および容器41等が収容されているカート内が加熱されていく。
【００４０】
その結果、再加熱用容器１内の米飯（食材Ａ）および容器41内の主菜は、カート内で熱気に包囲されるとともに水平方向に流れる熱風によって再加熱され、適温になるまで温められる。
【００４１】
再加熱完了後、再加熱用容器１および容器41等が載せられたトレイＴは、カート内から取り出され、１食分の食事として提供される。そして、食事する人は、蓋体３を容器本体２の上端部から取り外し、容器本体２つまり内容器７が内部に嵌入された外容器６を手にもって、内容器７内の米飯である食材Ａを食べる。
【００４２】
そして、上記再加熱用容器１によれば、外容器６の側板部14の内側面と内容器７の側板部24の外側面との間に空気層８が形成されているため、水平方向に流れる熱風が外容器６の外側面に集中して当てられている状態の中で、内容器７内に中心付近の食材Ａが十分に温まるまで加熱しても、内容器７の側板部24の内側面付近の食材Ａが熱を受け過ぎてカリカリになるようなことがなく、水平方向に流れる熱風によって食材Ａを適切に再加熱できる。
【００４３】
また、内容器７は外容器６に対して脱着可能であり、蓋体３は内容器７に対して脱着可能であるため、例えば洗浄時には外容器６と内容器７と蓋体３とを分けて別々に洗浄できる。
【００４４】
さらに、水平方向に流れる熱風が脚部17の熱風通し用開口部16を通って熱風通し用孔部12側に供給されるため、水平方向に流れる熱風が内容器７の底板部23と接触して内容器７の下部からも程よく加熱でき、水平方向に流れる熱風によって食材Ａを適切に再加熱できる。
【００４５】
また、内容器７の鍔部25が外容器６の側板部14の上端部上に載置されているため、内容器７の上端部と外容器６の上端部との間から空気層８の空気が容器本体２外に流出するのを防止でき、再加熱用容器１の側面において水平方向に流れる熱風から受ける熱の影響を和らげることによって食材を適切に再加熱できる。
【００４６】
さらに、内容器７が側板部24と鍔部25との間に設けられ厚さ寸法が空気層７の厚さ寸法と略同じ環状形状に形成された環状凸部27を有するため、空気層７の厚さ寸法が容器本体２の全周にわたって均一になり、再加熱用容器１の側面においてどの方向からも水平方向に流れる熱風によって食材Ａをむらなく適切に再加熱でき、また、この環状凸部27は鍔部25とともに空気層８の空気が容器本体２外に流出するのを防止できる。
【００４７】
また、蓋体３が蓋板部31に下方に向って突設され内容器７の側板部24の上端部内側面と近接対向する環状凸部33を有するため、再加熱時に食材Ａから発生する蒸気が蓋体３と内容器７の上端部との間から逃げにくく、水平方向に流れる熱風によって食材Ａを効果的に再加熱できる。
【００４８】
次に、本発明の再加熱用容器の他の実施の形態を図面を参照して説明する。
【００４９】
図４ないし図８において、51は再加熱用容器で、この再加熱用容器51は、上記一実施の形態に係る再加熱用容器１と同様、低温保存、すなわち例えばチルド保存していた加熱調理済みの食材（例えば米飯）Ａを熱風を利用して再加熱する際に使用する容器であり、その再加熱時には再加熱するためのカート（図示せず）内に収容しその容器内に収容された食材Ａが水平方向に流れる熱風によって再加熱される。
【００５０】
再加熱用容器51は、円形状の上面開口部54を有する有底略円筒状をなす２重構造の容器本体52と、この容器本体52に対して脱着可能で上面開口部54を開閉する蓋体53とを具備している。
【００５１】
容器本体52は、上面開口状の外容器56と、外容器56内に脱着可能に嵌合配設され食材Ａが内部に収容される上面開口状の内容器57と、外容器56の内側面全体と内容器57の外側面全体との間に位置し空気層58を形成する空間部59とを備えている。そして、容器本体52は、外容器56の内側面全体と内容器57の外側面全体との間に空気層58が形成されていることから、水平方向に流れる熱風が外容器56の側面部分に集中して当たり、他の部分と比較して強く熱を受けたとしても、内容器57の側面部分への伝熱を和らげるようになっている。
【００５２】
外容器56は、円形状の上面開口61を有する有底略円筒状のものである。外容器56は、中央部に円形状の熱風通し用孔部62が上下面に貫通して形成された円形環状の底板部63を有している。
【００５３】
底板部63は、水平面に沿った水平板状ではなく、内周端側から外周端側に行くに従って徐々に上方に向うように傾斜した傾斜板状に形成されている。底板部63の外周端部には、上方に向って拡径する截頭円錐状でかつ外側方に向って膨出する湾曲状の側板部64が上方に向って突設されている。側板部64の下端部側は他の部分に比べて小さな曲率半径で湾曲しており、側板部64の下端部と底板部63の外周端部とが滑らかに連続している。
【００５４】
また、底板部63の熱風通し用孔部62に臨んだ内周端部には、熱風通し用開口部66を有する断続的な糸尻部である脚部67が下方に向って突設されている。脚部67は、底板部63の内周端部の複数箇所から下方に向って突出し、底板部63の周方向に間隔（熱風通し用開口部66）をおいて並ぶ複数、例えば４つの脚板68を有している。各脚板68は底板部63の周方向に沿って湾曲板状に形成され、周方向に隣り合う脚板68間に略半楕円形状の熱風通し用開口部66が形成されている。
【００５５】
そして、底板部63の下面から下方に向って脚部67が突出していることから、外容器56の下方に熱風を通しやすく、また、隣り合う脚板68間に熱風通し用開口部66が形成されているとともに底板部63に熱風通し用孔部62が貫通形成されていることから、外容器56の下方から外容器56内の内容器57の底面に熱風を当てやすいようになっている。
【００５６】
さらに、底板部63の熱風通し用孔部62に臨んだ内周端部には、図９にも示すように、回動規制用の複数、例えば４つの凸状の一方側係合部である凸部69が内側方つまり熱風通し用孔部62に向って円形状の底板部63の径方向に沿って水平状に突設されている。これら複数の凸部69は、底板部63の周方向に略９０度間隔で位置し、底板部63の内周端面から内側方に向って突出、すなわち例えば脚板68の長手方向中央部から熱風通し用孔部62内に向って水平状に突出している。
【００５７】
内容器57は、上面開口部54を構成する円形状の上面開口71を有する有底略円筒状のものである。内容器57は、内容器57が外容器56内に嵌合され周囲を外容器56にて覆われた状態時に、外容器56の底板部63の熱風通し用孔部62と近接対向してこの熱風通し用孔部62を閉鎖する円形板状の底板部73を有している。
【００５８】
底板部73の外周端部には、外容器56の側板部64と略相似形状をなす上方に向って拡径する截頭円錐状でかつ外側方に向って膨出する湾曲状の側板部74が上方に向って突設されている。側板部74の下端部側は他の部分に比べて小さな曲率半径で湾曲しており、側板部74の下端部と底板部73の外周端部とが滑らかに連続している。なお、側板部74の外周面の複数箇所（例えば４箇所）には、内容器57同士を積み重ねる際に内容器57同士が密着するのを防止する空気逃し用の窪み部70が形成されている。
【００５９】
また、側板部74の上端部には円形環状の鍔部75が外側方に向って突設され、この鍔部75は外容器56の側板部64の上端部の上面上に載置されて支持される。図４等に示されるように、内容器57の鍔部75が外容器56の側板部64の上端部上に載置された状態時、つまり内容器57が外容器56の内側に脱着可能に嵌合された状態時には、内容器57の鍔部75と外容器56の側板部64の上端部との当接を確実にするために、内容器57の底板部73の下面と外容器56の底板部63の上面との間には、空気層58に連通するわずかな隙間76がある。
【００６０】
そして、内容器57の鍔部75と外容器56の側板部64の上端部とが当接して空気層58の空気が流出するのを防止していることから、空気層58の空気が水平方向に流れる熱風によって加熱されたカート内の空気と流通して高温になることがなく、それによって外容器56の側板部64が集中して当たる水平方向に流れる熱風により伝熱されて内容器57の側板部74が他の部分と比較して早く加熱されることを助長させないようになっている。
【００６１】
また、側板部74の上端部外側面と鍔部75の下面との間には、径方向の厚さ寸法が空気層58の厚さ寸法と略同じ環状形状に形成され側板部74の外側面と側板部64の内側面との間に位置し空気層58の厚さ寸法（間隙）を容器本体52の全周にわたって均一に維持する空気層維持部である円形環状の環状凸部77が設けられている。
【００６２】
そして、環状凸部77の外周面と外容器56の側板部64の上端部内側面との接触により、一定の厚さ寸法の空気層58が外容器56の側板部64の内側面と内容器57の側板部74の外側面との間に容器本体52の全周にわたって均一に形成されることから、水平方向に流れる熱風が外容器56の側板部64のどの方向から当てられたとしても内容器57の側板部74にはその全体にわたって同じように伝熱されるようになっている。
【００６３】
さらに、底板部73の下面側には、図１０にも示すように、外容器56の凸部69と係脱可能に係合、例えば嵌合して内容器57の外容器56に対する相対的な回動を規制する複数、例えば４つの凹状の他方側係合部である凹部79が設けられている。すなわち例えば底板部73の下面にはこの下面から下方に向って膨出する略円形環状の膨出部80が設けられ、この膨出部80に４つの凹部79が凸部69に対応して周方向に略９０度間隔で形成されている。各凹部79は、円形板状の底板部73の径方向に沿った凹溝状で、対応する凸部69と嵌脱可能に嵌合する形状に形成されている。
【００６４】
そして、外容器56内に内容器57を入れ、外容器56の４つの凸部69と内容器57の４つの凹部79とをそれぞれ互いに嵌合させると、この嵌合により内容器57の外容器56に対する相対的な回動が規制される。すなわち、凸部69と凹部79とが互いに嵌合した状態では、内容器57は、外容器56に対してこの外容器56内で上下方向の軸線を中心として水平方向に回動することが規制される。
【００６５】
一方、蓋体53は、内容器57の上端部上に載置されて内容器57の上面開口71つまり容器本体52の上面開口部54を閉鎖するものである。蓋体53は、上面開口部54の閉鎖時に内容器57の鍔部75上に載置される略円形板状の蓋板部81を有している。
【００６６】
蓋板部81の外径寸法は内容器57の鍔部75の外径寸法より大きく、この蓋板部81の外周端部には、外容器56の側板部64の上端部外側面と近接対向してこの側板部64の上端部外側面を覆う略円筒状の筒状部82が下方に向って突設されている。また、蓋板部81の外周端部の近傍位置には、内容器57の側板部74の上端部内側面と近接対向してこの側板部74の上端部内側面を覆う円形環状の環状凸部83が下方に向って突設されている。そして、図４に示されるように、蓋板部81の下面のうち筒状部82と環状凸部83との間に位置する部分が、湾曲面状の載置面84となって鍔部75の上面である被載置面85上に載置されて支持されている。また、蓋板部81の中央部には上方に向って膨出状の取手部分86が形成されている。
【００６７】
なお、再加熱用容器51を構成する３つの構成部材である外容器（容器カバー）56、内容器（収納容器）57および蓋体53は、例えば合成樹脂或いは金属等にてそれぞれ一体に形成されている。
【００６８】
そして、このような再加熱用容器51によれば、容器本体52が外容器56の内側面と内容器57の外側面との間に位置し空気層58を形成する空間部59を備えるため、再加熱時に容器本体52の内容器57の内側面付近の食材Ａが他の内面付近の食材Ａと比較して熱を受け過ぎることがなく、水平方向に流れる熱風によって内容器57内の食材Ａを適切に再加熱できる等、図１に示す再加熱用容器１と同じ作用効果を奏することができるばかりでなく、外容器56の複数の凸部69と内容器57の複数の凹部79とが嵌合して内容器57の外容器56に対する回動が規制されるため、再加熱した内容器57内の食材Ａを食する際に、内容器57が外容器56に対して回動してしまうことを防止できる。すなわち例えば内容器57内の食材Ａを食べている途中で、手で持っている外容器56の中で、内容器57が回ってしまうことがない。
【００６９】
なお、上記いずれの実施の形態においても、脚部17，67は、複数の脚板18，68を有するものには限定されず、例えば略円筒状の筒状脚を有し、この筒状脚に熱風通し用開口部を内外周面に貫通して形成したもの等でもよい。
【００７０】
また、蓋体３，53は、容器本体２，52の上端部に載置して装着するものには限定されず、例えば容器本体２，52の上端部に嵌着するもの等でもよく、また容器本体２，52に対して回動により脱着するもの等でもよい。
【００７１】
さらに、空気層８，58を容器本体２，52の全周にわたって均一に維持する空気層維持部は、例えば内容器７，57の側板部24，74の上下方向中間部外側面（下端部外側面）に突設された環状凸部、或いは、外容器６，56の側板部14，64の上端部内側面（上下方向中間部外側面、下端部内側面）に突設された環状凸部でもよく、また環状でなく複数の凸部分からなるもの等でもよい。
【００７２】
また一方、外容器56が凸部69を有し、内容器57が凹部79を有する構成には限定されず、例えば外容器56が凹状の一方側係合部である凹部を有し内容器57が凸状の一方側係合部である凸部を有する構成等でもよい。
【図面の簡単な説明】
【００７３】
【図１】本発明の一実施の形態に係る再加熱用容器の断面図である。
【図２】同上再加熱用容器の分解斜視図である。
【図３】同上再加熱用容器の使用状態を示す斜視図である。
【図４】本発明の他の実施の形態に係る再加熱用容器の断面図である。
【図５】同上再加熱用容器の斜視図である。
【図６】同上再加熱用容器の斜視図である。
【図７】同上再加熱用容器の分解斜視図である。
【図８】同上再加熱用容器の分解斜視図である。
【図９】同上再加熱用容器の外容器の断面図である。
【図１０】同上再加熱用容器の内容器の断面図である。
【符号の説明】
【００７４】
１，51    再加熱用容器
２，52    容器本体
３，53    蓋体
４，54    上面開口部
６，56    外容器
７，57    内容器
８，58    空気層
９，59    空間部
12，62    熱風通し用孔部
13，63    外容器の底板部
14，64    外容器の側板部
16，66    熱風通し用開口部
17，67    脚部
23，73    内容器の底板部
24，74    側板部
25，75    鍔部
26，76 隙間
27，77    空気層維持部である環状凸部
31，81    蓋板部
32，82 筒状部
33，83    環状凸部
70 窪み部
【図１】
0005372427.tif 000002
【図２】
0005372427.tif 000003
【図３】
0005372427.tif 000004
【図４】
0005372427.tif 000005
【図５】
0005372427.tif 000006
【図６】
0005372427.tif 000007
【図７】
0005372427.tif 000008
【図８】
0005372427.tif 000009
【図９】
0005372427.tif 000010
【図１０】
0005372427.tif 000011